(57)【要約】【課題】構造をあまり複雑化させることなく、効率的かつ高品質にスクリーン印刷を行うことが可能なスキージ。【解決手段】スクリーン印刷用のスキージであって、当該スキージを水平方向に往復させることによりスクリーン印刷が行われ、往路では、当該スキージは第１の状態となり、復路では、当該スキージは第２の状態となり、前記往路および前記復路のいずれにおいても、当該スキージの移動方向に沿って前方に、ペーストを収容する空間が形成され、前記往路および前記復路のいずれにおいても、前記ペーストの水平方向の移動に同一の共通面が使用され、前記共通面は、当該スキージの移動の際に、前記空間の背面を形成することを特徴とするスキージ。【選択図】図２
2017077711.tif 000002
【特許請求の範囲】
【請求項１】
スクリーン印刷用のスキージであって、
当該スキージを水平方向に往復させることによりスクリーン印刷が行われ、
往路では、当該スキージは第１の状態となり、復路では、当該スキージは第２の状態となり、
前記往路および前記復路のいずれにおいても、当該スキージの移動方向に沿って前方に、ペーストを収容する空間が形成され、
前記往路および前記復路のいずれにおいても、前記ペーストの水平方向の移動に同一の共通面が使用され、前記共通面は、当該スキージの移動の際に、前記空間の背面を形成することを特徴とするスキージ。
【請求項２】
前記第１の状態から前記第２の状態の変化は、前記共通面を回転することによって行われ、
当該スキージは、
前記第１の状態では、前記共通面が、設置面に接する底辺に対応する第１の辺と、上辺に対応する第２の辺とを有し、
前記第２の状態では、前記共通面の前記第１の辺が上辺となり、前記第２の辺が前記設置面と接する底辺となる
ように構成される、請求項１に記載のスキージ。
【請求項３】
当該スキージは、長手方向に延伸する中央部と、該中央部の両端に配置された脚部とを有し、
前記共通面は、前記中央部に形成されており、前記長手方向に延伸し、
前記共通面は、前記脚部によって終端化され、
各脚部は、前記共通面の前記第１の辺および前記第２の辺のそれぞれと接続された内側面を有し、
前記空間は、当該スキージの設置面、前記共通面、および両内側面により区画される、請求項２に記載のスキージ。
【請求項４】
前記脚部は、第１の面および第２の面を有し、
前記脚部は、前記第１の状態では、前記第１の面が当該スキージの設置面と接し、前記第２の状態では、前記第２の面が前記設置面と接するように構成され、
前記脚部を回転させることにより、前記第１の状態と前記第２の状態が切り換えられる、請求項３に記載のスキージ。
【請求項５】
前記脚部において、前記第１の面および前記第２の面は、相互に隣接しており、実質的に共通する辺により相互に接合される、請求項４に記載のスキージ。
【請求項６】
前記第１の面と前記第２の面のなす角度αは、６０゜〜１２０゜の範囲である、請求項５に記載のスキージ。
【請求項７】
当該スキージは、前記共通する辺を回転軸として、前記脚部を１８０゜−αだけ回転させることにより、前記第１の状態から前記第２の状態に変化する、請求項６に記載のスキージ。
【請求項８】
前記脚部において、前記第１の面および前記第２の面は、間に存在する中間部によって、相互に接続される、請求項４に記載のスキージ。
【請求項９】
前記第１の状態において、前記共通面は、前記第１の辺の位置において当該スキージの設置面に対して傾斜角θ１を形成し、
該傾斜角θ１（０＜θ１＜９０゜とする）は、３０゜〜８５゜の範囲である、請求項２乃至８のいずれか一つに記載のスキージ。
【請求項１０】
前記第２の状態において、前記共通面は、前記第２の辺の位置において当該スキージの設置面に対して傾斜角θ２を形成し、
該傾斜角θ２（０＜θ２＜９０゜とする）は、３０゜〜８５゜の範囲である、請求項９に記載のスキージ。
【請求項１１】
前記傾斜角θ１とθ２は、実質的に等しい、請求項１０に記載のスキージ。
【請求項１２】
前記共通面は、実質的に平坦な単一の面、曲面、平面と曲面の組み合わせ、および複数の平面の組み合わせのいずれかで構成される、請求項１乃至１１のいずれか一つに記載のスキージ。
【発明の詳細な説明】
【技術分野】
【０００１】
本発明は、スクリーン印刷用のスキージに関する。
【背景技術】
【０００２】
スクリーン印刷法は、高精細な印刷を高速で行うことができるため、電子回路基板の製造、および電池の電極の製造など、幅広い分野で使用されている。
【０００３】
通常、スクリーン印刷法により被印刷物に印刷を行う場合、まず、被印刷物上に、パターンを有するスクリーン版が配置される。次に、スクリーン版の表面（被印刷物とは反対側の表面）に、ペースト（印刷インク）が設置される。次に、「スキージ」と呼ばれるヘラ状の先端を有する部材を、スクリーン版に押し付けながら水平方向に移動させることにより、ペーストが被印刷物の側にパターン状に押し出される。その結果、スクリーン版のパターンを被印刷物に印刷することができる（例えば特許文献１）。
【０００４】
最近では、２本のスキージを有する「ダブルスキージ構造」により、スクリーン印刷を行う方法が提案されている（特許文献２）。
【０００５】
この方法では、最初に、スキージ構造の一方のスキージを往路方向に移動させ、被印刷物にペーストを印刷する（往路印刷）。次に、スキージ構造の他方のスキージを復路方向に移動させ、被印刷物にペーストを印刷する（復路印刷）。なお、いずれの印刷の間も、印刷に使用されないスキージは、スクリーン版の上部に維持され、次の印刷まで待機される。このように、往路印刷と復路印刷を繰り返すことにより、効率的にスクリーン印刷を行うことができる。
【先行技術文献】
【特許文献】
【０００６】
【特許文献１】特開２００３−４８３０４号公報
【特許文献２】特開２００６−８８７０９号公報
【発明の概要】
【発明が解決しようとする課題】
【０００７】
しかしながら、前述の特許文献２のような「ダブルスキージ構造」では、２本のスキージが必要となり、構造が複雑かつ大がかりになるという問題がある。また、「ダブルスキージ構造」では、一方のスキージによる印刷中に、他方のスキージに付着したペーストが落下するおそれがある。このような事象が生じると、印刷の品質が低下してしまう可能性がある。
【０００８】
本発明は、このような背景に鑑みなされたものであり、本発明では、構造をあまり複雑化させることなく、効率的かつ高品質にスクリーン印刷を行うことが可能なスキージを提供することを目的とする。
【課題を解決するための手段】
【０００９】
本発明では、スクリーン印刷用のスキージであって、
当該スキージを水平方向に往復させることによりスクリーン印刷が行われ、
往路では、当該スキージは第１の状態となり、復路では、当該スキージは第２の状態となり、
前記往路および前記復路のいずれにおいても、当該スキージの移動方向に沿って前方に、ペーストを収容する空間が形成され、
前記往路および前記復路のいずれにおいても、前記ペーストの水平方向の移動に同一の共通面が使用され、前記共通面は、当該スキージの移動の際に、前記空間の背面を形成することを特徴とするスキージが提供される。
【発明の効果】
【００１０】
本発明では、構造をあまり複雑化させることなく、効率的かつ高品質にスクリーン印刷を行うことが可能なスキージを提供することができる。
【図面の簡単な説明】
【００１１】
【図１】従来のスクリーン印刷用のスキージ装置の構成例を模式的に示した図である。
【図２】本発明の一実施形態によるスクリーン印刷用のスキージの構成例を模式的に示した斜視図である。
【図３】図２に示したスキージの第１の状態における側面を模式的に示した図である。
【図４】図２に示したスキージの第２の状態における側面を模式的に示した図である。
【図５】本発明の一実施形態によるスキージを用いてスクリーン印刷を実施する際の工程を、概略的に示した図である。
【図６】第１の面と第２の面の間に中間部分を有する脚部の構成の一例を模式的に示した側面図である。
【図７】本発明の一実施形態によるスキージの共通面の形態の例を概略的に示した側面図である。
【発明を実施するための形態】
【００１２】
以下、図面を参照して、本発明の一実施例について詳しく説明する。
【００１３】
（従来のスクリーン印刷用のスキージ）
本発明の構成および特徴をより良く理解するため、まず、従来のスクリーン印刷用のスキージの構成について、簡単に説明する。なお、ここでは、前述の特許文献２に記載のような、「ダブルスキージ構造」を例に、その構成について説明する。
【００１４】
図１には、そのようなダブルスキージ構造を有するスキージ装置を概略的に示す。
【００１５】
図１に示すように、このスキージ装置１は、印刷ヘッド３と、該印刷ヘッド３に結合された第１スキージ５および第２スキージ７とを備える。
【００１６】
このスキージ装置１を用いてスクリーン印刷を行う際には、まず、被印刷物１０の上に、スクリーン版１２が配置される。スクリーン版１２は、枠１４によって固定される。また、スクリーン版１２の上にペースト１６が設置される。
【００１７】
次に、図１に示すように、印刷ヘッド３から第１スキージ５を下降させ、第１スキージ５を、スクリーン版１２に当接させる。一方、第２スキージ７は、上昇させたままである。次に、第１スキージ５を図の右方向（往路方向）に水平に移動させる。これにより、ペースト１６がスクリーン版１２に押し付けられ、その一部がスクリーン版１２を通り、被印刷物に印刷される。
【００１８】
次に、印刷ヘッド３により、第１スキージ５を上昇させるとともに、第２スキージ７を、スクリーン版１２に当接させる。そして、第２スキージ７を、図の左方向（復路方向）に水平に移動させる。これにより、ペースト１６が再度、スクリーン版１２に押し付けられ、その一部がスクリーン版１２を通り、被印刷物に印刷される。
【００１９】
このような工程を繰り返すことにより、被印刷物１０に、所定のパターンがスクリーン印刷される。
【００２０】
しかしながら、このようなダブルスキージ構造では、２本のスキージ５、７が必要となり、スキージ装置１の構造が複雑かつ大がかりになるという問題がある。
【００２１】
また、ダブルスキージ構造では、一方のスキージ（例えば第２スキージ７）による印刷中に、他方のスキージ（例えば第１スキージ５）に付着したペースト１６が、スクリーン版１２に落下するおそれがある。このような事象が生じると、印刷の品質が低下してしまう可能性がある。
【００２２】
なお、このようなペーストの落下の問題は、ダブルスキージ構造に特有のものではない。例えば、前述の特許文献１のような単一のスキージ構造においても、同様の問題は生じ得る。すなわち、特許文献１のスキージの場合、往路では、スキージの表面が使用され、復路では、スキージの裏面が使用される。この場合、復路または往路での印刷中に、スキージの表面または裏面に付着したペーストが、スクリーン版に落下する可能性がある。
【００２３】
これに対して、本発明の一実施形態では、
スクリーン印刷用のスキージであって、
当該スキージを水平方向に往復させることによりスクリーン印刷が行われ、
往路では、当該スキージは第１の状態となり、復路では、当該スキージは第２の状態となり、
前記往路および前記復路のいずれにおいても、当該スキージの移動方向に沿って前方に、ペーストを収容する空間が形成され、
前記往路および前記復路のいずれにおいても、前記ペーストの水平方向の移動に同一の共通面が使用され、前記共通面は、当該スキージの移動の際に、前記空間の背面を形成することを特徴とするスキージが提供される。
【００２４】
このようなスキージでは、往路と復路のそれぞれで、交互に印刷が実施されるため、印刷工程を効率化することができる。
【００２５】
また、本発明によるスキージでは、第１の状態と第２の状態を切り換えることにより、往路および復路のいずれの印刷においても、一つのスキージの同じ面、すなわち共通面を使用することができる。従って、本発明では、「ダブルスキージ構造」とは異なり、構造を比較的簡素化することができる。
【００２６】
また、本発明では、往路および復路のいずれの印刷においても、一つのスキージの同じ面、すなわち共通面を使用することができる。従って、本発明では、往路または復路での印刷の際に、ペーストがスクリーン版に落下するという従来の問題を有意に抑制することができる。
【００２７】
以上の特徴により、本発明では、効率的かつ高品質にスクリーン印刷を行うことが可能なスキージを提供することができる。
【００２８】
（本発明の一実施形態によるスクリーン印刷用のスキージ）
次に、図面を参照して、本発明の一実施形態によるスクリーン印刷用のスキージの構成について、より詳しく説明する。なお、以下に示すスキージの構成は、単なる一例であって、本発明は、これらの実施形態に限定されるものではないことに留意する必要がある。
【００２９】
図２には、本発明の一実施形態によるスクリーン印刷用のスキージの一構成例を模式的に示す。また、図３には、図２に示したスキージの側面図を模式的に示す。
【００３０】
図２および図３に示すように、本発明の一実施形態によるスクリーン印刷用のスキージ１００（以下、「第１のスキージ１００」と称する）は、長さＬ、幅Ｗおよび高さＨを有する。ここでは、各寸法は、それぞれ、Ｘ、ＹおよびＺ方向に平行であると仮定する。第１のスキージ１００は、設置面Ｓ（通常はスクリーン版）上に配置される。
【００３１】
また、第１のスキージ１００は、長手方向（Ｘ方向）に延伸する中央部１１０と、該中央部の両端に配置された脚部１２０とを有する。両脚部１２０は、実質的に同一の形状を有する。
【００３２】
なお、第１のスキージ１００は、図２および図３に示す形態では、第１の状態にある。この第１の状態は、後に説明する第２の状態とは区別される。
【００３３】
第１のスキージ１００の中央部１１０は、一部がＸ方向に沿って略三角柱状にくり抜かれた形態を有する。換言すれば、中央部１１０は、Ｘ方向に沿って延伸する共通面１３５を有し、該共通面１３５は、両端が脚部１２０によって終端化される。
【００３４】
共通面１３５は、Ｘ方向に延伸する第１の辺１４０および第２の辺１４２を有する。第１の辺１４０および第２の辺１４２は、両脚部１２０によって終端化される。
【００３５】
なお、図２および図３に示すように、第１のスキージ１００の第１の状態では、共通面１３５の第１の辺１４０は、設置面Ｓと接触する共通面１３５の底辺に対応し、第２の辺１４２は、共通面１３５の上辺に対応する。
【００３６】
各脚部１２０は、略直方体の形状となっており、第１の面１２２、第２の面１２４、第３の面１２６、第４の面１２８、および外側面１３０を有する。
【００３７】
このうち、第１の面１２２は、第１のスキージ１００の第１の状態において、脚部１２０が設置面Ｓと接触する表面である。第１の面１２２は、ＸＹ平面に平行である。また、第２の面１２４は、Ｘ方向に平行な辺１４５を介して、第１の面１２２に接合された表面である。第２の面１２４は、ＸＺ平面に平行である。第３の面１２６は、第１の面１２２の反対側の表面に対応する。ただし、第３の面１２６は、便宜的に表された表面であって、中央部１１０との境界は、明確ではない。同様に、第４の面１２８は、第２の面１２４の反対側の表面に対応するが、第４の面１２８は、便宜的に表された表面であって、中央部１１０との境界は、明確ではない。
【００３８】
各脚部１２０は、さらに、内側面１４９を有する。内側面１４９は、外側面１３０とは反対側にある表面であって、共通面１３５の長手方向を終端化する表面である。換言すれば、共通面１３５の第１の辺１４０および第２の辺１４２は、両方の内側面１４９の間に存在する。
【００３９】
図２および図３から明らかなように、第１のスキージ１００は、さらに、第１の空間１５０を有する。この第１の空間１５０は、第１のスキージ１００の第１の状態において、共通面１３５の下側に配置される。すなわち、第１の空間１５０は、共通面１３５、２つの内側面１４９、および設置面Ｓによって区画される。
【００４０】
なお、図３から明らかなように、共通面１３５は、設置面Ｓに対して傾斜して配置される。例えば、図３の例では、共通面１３５と設置面Ｓとのなす角θ１は、４５゜である。
【００４１】
第４の面１２８から第２の面１２４の方向に向かって（図２において、水平方向右から左に）見た場合（後述するように、この方向は、「往路方向」とも称される）、第１のスキージ１００の第１の状態では、共通面１３５の第２の辺１４２は、第１の辺１４０よりも「前方」に配置される。また、共通面１３５は、第１の空間１５０の「背面」を構成する。
【００４２】
また、この「往路方向」から見たとき、第１の空間１５０は、ＹＺ面に平行な断面において、高さ（Ｚ方向の寸法）が徐々に大きくなる形状を有する。ただし、この第１の空間１５０の高さの変化態様は、一例に過ぎないことに留意する必要がある。
【００４３】
図４には、第１のスキージ１００の第２の状態における側面図を模式的に示す。
【００４４】
図４に示すように、第１のスキージ１００の第２の状態では、第１の状態とは異なり、脚部１２０の第２の面１２４が設置面Ｓと接触する。また、この状態では、共通面１３５は、第１の辺１４０が上辺となり、第２の辺１４２が設置面Ｓと接触する底辺となるように配置される。
【００４５】
なお、第２の状態は、第１の状態から、第１のスキージ１００を、辺１４５の延伸線を回転軸として、回転角φだけ回転することにより得ることができる（図３参照）。なお、図２〜図４の例では、脚部１２０において、第１の面１２２と第２の面１２４のなす角αは、略９０゜である（図２参照）。従って、第１のスキージ１００では、第１の状態から第２の状態を得るために必要な回転角φは、１８０゜−α＝１８０゜−９０゜＝９０゜である。
【００４６】
第２の状態においても、共通面１３５は、設置面Ｓに対して傾斜して配置される。第２の状態において、共通面１３５と設置面Ｓとのなす角をθ２とすると、図４に示した例では、θ２＝４５゜である。
【００４７】
第２の状態では、第１のスキージ１００に第２の空間１５２が生じる。この第２の空間１５２は、第１の状態における第１の空間１５０と同様に、共通面１３５、２つの内側面１４９、および設置面Ｓによって区画される。
【００４８】
ただし、第２の状態では、第３の面１２６から第１の面１２２の方向に向かって（図３において、水平方向左から右に）見た場合（後述するように、この方向は、「復路方向」とも称される）、共通面１３５の第１の辺１４０は、第２の辺１４２よりも「前方」に配置される。また、共通面１３５は、第２の空間１５２の「背面」を構成する。
【００４９】
また、この「復路方向」から見たとき、第２の空間１５２は、ＹＺ面に平行な断面において、高さ（Ｚ方向の寸法）が徐々に大きくなる形状を有する。ただし、この第２の空間１５２の高さの変化態様は、一例に過ぎないことに留意する必要がある。
【００５０】
なお、通常の場合、θ１＝θ２であることが好ましい。この場合、往路方向での印刷と復路方向での印刷において、ほぼ同様の印刷条件を得ることができる。
【００５１】
（本発明の一実施形態によるスキージを用いたスクリーン印刷方法）
次に、図５を参照して、本発明の一実施形態によるスキージを用いたスクリーン印刷方法について説明する。
【００５２】
なお、ここでは、スクリーン印刷用の孔版として、スクリーン版を使用する場合を例に、本発明の一実施形態について説明する。ただし、本発明において使用できる孔版は、スクリーン版に限られるものではなく、例えば、メタルマスク、樹脂版など、従来から使用されている各種形態のものを使用することができることに留意する必要がある。
【００５３】
図５には、第１のスキージ１００を用いてスクリーン印刷を実施する際の工程を、概略的に示す。なお、図５では、明確化のため、第１のスキージ１００の脚部１２０の外側面１３０等は、省略されている。
【００５４】
図５（ａ）に示すように、第１のスキージ１００を用いてスクリーン印刷を実施する場合、最初に、被印刷物１８０上に、スクリーン版１８２が配置される。スクリーン版１８２は、張力が生じるように引っ張られた状態で、枠１８５に固定される。
【００５５】
次に、スクリーン版１８２の表面に、ペースト１８７および第１のスキージ１００が配置される。なお、この際には、第１のスキージ１００は、第１の状態で配置される。より具体的には、第１のスキージ１００は、中央部１１０の共通面１３５の第１の辺１４０が底辺となり、共通面１３５の第２の辺１４２が上辺となるように、また、脚部１２０の第１の面１２２、および共通面１３５の第１の辺１４０がスクリーン版１８２と接触するように、配置される。
【００５６】
なお、第１のスキージ１００は、第１の空間１５０がペースト１８７の近傍に配置されるように配置される。
【００５７】
次に、図５（ｂ）に示すように、第１のスキージ１００を、第１の水平方向Ｆ１に沿って移動させる。
【００５８】
ここで、第１の水平方向Ｆ１は、前述の「往路方向」に対応する。すなわち、第１の水平方向Ｆ１は、スクリーン版１８２に沿った、第１のスキージ１００の第４の面１２８から第２の面１２４に向かう方向に相当する。図５（ｂ）に示すように、第１のスキージ１００が第１の水平方向Ｆ１に沿って移動する際に、第１のスキージ１００の共通面１３５は、第１の空間１５０の背面を構成する。
【００５９】
このような第１のスキージ１００の移動により、ペースト１８７は、共通面１３５によって「前方」に押し出され、第１の水平方向Ｆ１に沿って移動する。この際に、ペースト１８７の一部は、スクリーン版１８２を介して被印刷物１８０に印刷される（往路印刷）。
【００６０】
なお、往路印刷の際に第１のスキージ１００の共通面１３５がスクリーン版１８２となす角度は、前述のようにθ１である。以下、θ１を、「（往路での）アタック角度」とも称する。
【００６１】
第１のスキージ１００を、第１の水平方向Ｆ１に沿って移動させる方法は、特に限られない。第１のスキージ１００は、例えば、誘導手段等を用いて、第１の水平方向Ｆ１に移動させてもよい。
【００６２】
そのような誘導手段は、例えば、第１のスキージ１００に設けられたハンドルであってもよい。例えば、ハンドルを第１のスキージ１００の両脚部１２０の外側面１３０に「コ」の字状に取り付け、このハンドルを利用する（ハンドルを押すまたは引く）ことにより、第１のスキージ１００を移動させてもよい。あるいは、別の機械的または電気的な方法を用いて、第１のスキージ１００を、第１の水平方向Ｆ１に沿って移動させてもよい。
【００６３】
往路印刷の完了後、第１のスキージ１００は、第１の状態から、第２の状態にされる。
【００６４】
例えば、図５（ｃ）に示した例では、第１のスキージ１００は、回転軸Ｐに沿って第１の水平方向Ｆ１の側に回転角φだけ回転される。これにより、第１のスキージ１００は、第２の状態、すなわち脚部１２０の第２の面１２４がスクリーン版１８２と接するようになる。
【００６５】
ここで、回転軸Ｐは、前述の辺１４５の延伸線に対応する。また、図５（ｃ）の例では、回転角φ＝９０゜である。
【００６６】
第１のスキージ１００を回転させる方法は、特に限られない。第１のスキージ１００は、例えば、回転手段により回転されてもよい。そのような回転手段は、例えば、第１のスキージ１００の中央部１１０、または脚部１２０の第３の面１２６もしくは第４の面１２８等に設けられた突起等であってもよい。この場合、突起を第１の水平方向Ｆ１の側に押し出すことにより、第１のスキージ１００を、回転角φだけ回転させることができる。この他にも各種方法が考えられる。
【００６７】
第１のスキージ１００が第２の状態に変化すると、第１のスキージ１００は、前述の図４に示したように、中央部１１０の共通面１３５の第２の辺１４２が底辺となって、スクリーン版１８２と接触し、共通面１３５の第１の辺１４０が上辺となるように配置される。
【００６８】
第２の状態では、ペースト１８７は、第１の水平方向Ｆ１とは反対の方向から見たとき、第２の空間１５２の「前側」に配置される。
【００６９】
なお、第１のスキージ１００が第１の状態から第２の状態に変化した際に、スクリーン版１８２上のペースト１８７は、第２の空間１５２に対する相対位置が第１の空間１５０の場合とは逆になるものの、ペースト１８７の絶対位置は、実質的に変化しない。
【００７０】
これは、第１のスキージ１００の中央部１１０に形成された第１および第２の空間１５０、１５２が、ペースト１８７のいわば収容部として機能するためである。すなわち、第１および第２の空間１５０、１５２のため、第１のスキージ１００は、共通面１３５および内側面１４９を除き、他の部分がペースト１８７とは実質的に接触しないようにして、回転することができる。
【００７１】
その結果、第１のスキージ１００が第１の状態から第２の状態に変化しても、ペースト１８７は、図５（ｂ）の工程後の状態を維持することができる。
【００７２】
次に、図５（ｄ）に示すように、第１のスキージ１００を、第２の水平方向（以下、「復路」とも称する）Ｆ２に移動させる。ここで、第２の水平方向Ｆ２は、第１の水平方向Ｆ１とは反対の方向（前述の「復路方向」）に相当する。
【００７３】
復路方向においても、第１のスキージ１００の共通面１３５は、第２の空間１５２の背面を構成する。すなわち、第１のスキージ１００が第２の水平方向Ｆ２に沿って移動する際に、ペースト１８７は、共通面１３５によって「前方」に押し出され、第２の水平方向Ｆ２に沿って移動する。
【００７４】
そして、この際に、ペースト１８７の一部は、スクリーン版１８２を介して被印刷物１８０に印刷される（復路印刷）。
【００７５】
なお、復路印刷の際の第１のスキージ１００の共通面１３５がスクリーン版１８２となす角度は、θ２である。以下、θ２を、「（復路での）アタック角度」とも称する。前述のように、復路でのアタック角度θ２は、往路でのアタック角度θ１とは異なってもよいが、両者は実質的に等しいことが好ましい。
【００７６】
復路印刷の後、必要な場合、第１のスキージ１００を、回転軸Ｐの周りに−φだけ回転させ、第１のスキージ１００を、第２の状態から再び第１の状態に戻してもよい。そして、前述の工程を繰り返すことにより、複数回の往路印刷および復路印刷が実施されてもよい。
【００７７】
このような工程により、被印刷物１８０に、ペースト１８７をスクリーン印刷することができる。
【００７８】
このように、第１のスキージ１００を使用した場合、往路方向と復路方向で交互に印刷が実施されるため、印刷工程を効率化することができる。また、上記方法では、往路方向および復路方向のいずれの印刷においても、第１のスキージ１００の同じ共通面１３５を使用することができるため、スキージの数を増やす必要がなく、「ダブルスキージ構造」に比べて、構造を比較的簡素化することができる。
【００７９】
また、第１のスキージ１００では、同じ共通面１３５を使用して往路印刷および復路印刷を行うため、いずれかの方向での印刷の際に、ペースト１８７がスクリーン版１８２に落下するという従来の問題を有意に抑制することができる。
【００８０】
このような特徴により、第１のスキージ１００では、効率的かつ高品質にスクリーン印刷を行うことが可能となる。
【００８１】
（本発明の一実施形態によるスキージのその他の特徴）
次に、本発明の一実施形態によるスキージのその他の特徴について説明する。なお、ここでは、前述の第１のスキージ１００を例として、各種特徴を説明する。また、明確化のため、各部分の説明の際には、図２〜図５に示した参照符号を使用する。
【００８２】
（中央部１１０および脚部１２０）
前述の例では、第１のスキージ１００は、略直方体状の形態を有する。また、中央部１１０は、直方体の一つの辺が切除されたような形状を有する。
【００８３】
しかしながら、これらは単なる一例であって、中央部１１０の形態は、特に限られない。例えば、中央部１１０は、略円柱状の部材から、軸方向に平行な方向に沿って、円弧の一部が切除されたような形態を有してもよい。この場合、切断面が共通面１３５に相当する。
【００８４】
一方、前述の例では、脚部１２０は、略直方体の形状を有するが、脚部１２０の形態は、これに限られない。例えば、脚部１２０の外側面１３０は、略４つの辺を有する矩形状の形態の他、略三角形状、五角形以上の略多角形状、略楕円形、および略円形などの形状であっても良い。
【００８５】
また、脚部１２０が略直方体の形状を有する場合、第１の面１２２と第２の面１２４のなす角度αは、必ずしも前述の例のように９０゜である必要はなく、この角度αは、６０゜〜１２０゜の範囲のいかなる値であってもよい。
【００８６】
また、そもそも、第１の面１２２と第２の面１２４は、共通の辺１４５を介して相互に直接接続されている必要はない。例えば、第１の面１２２と第２の面１２４の間には、両者を接続する中間部分が存在してもよい。
【００８７】
そのような中間部分は、例えば、面取り面であってもよい。このような面取り面を設けた場合、第１のスキージ１００を回転させて、第１の状態から第２の状態、および第２の状態から第１の状態にすることが容易に行えるようになる。
【００８８】
また、中間部分は、例えば、曲面で構成されてもよい。
【００８９】
図６には、第１の面１２２と第２の面１２４の間に中間部分を有する脚部の構成の一例を模式的に示す。
【００９０】
図６に示すように、この例では、脚部１２０は、第１の面１２２と第２の面１２４の間に、曲面状の中間部分１２９を有する。
【００９１】
特に、図６の例では、中間部分１２９は、側面が円弧状となる曲面で形成されている。この円弧は、半径Ｒの円の１／４円弧であってもよい。この場合、円弧の中心をＣとしたとき、第１のスキージ１００を回転させて、第１のスキージ１００を第１の状態／第２の状態間で変化させても、中心Ｃの高さ位置が変化しない。従って、このような構成では、Ｘ方向の軸を中心Ｃにとることで、容易に第一の状態から第二の状態に変化させることができる。
【００９２】
なお、脚部１２０が図２〜図４に示したような形態の場合、第１の面１２２と第２の面１２４のなす角αは、「スキップ距離」を決めるパラメータとなる。また、脚部１２０が図６に示したような中間部分１２９を有する形態の場合、中間部分１２９の形状は、「スキップ距離」を決めるパラメータとなる。
【００９３】
ここで、「スキップ距離」とは、例えば、図５（ｃ）において、Ｄで表された寸法を意味する。すなわち、スキップ距離Ｄは、第１のスキージ１００が回転して、第１の状態から第２の状態に変化した際の、設置面Ｓと接する共通面１３５の底辺の、みかけの水平移動距離を表す。
【００９４】
第１のスキージ１００では、脚部１２０の形態（特に、角度αおよび／または中間部分１２９の形状）を適正に定めることにより、所望のスキップ距離Ｄを得ることができる。
【００９５】
（共通面１３５）
前述の例では、共通面１３５は、平坦な単一の平面で構成される。しかしながら、共通面１３５の形態は、これに限られるものではなく、共通面１３５は、１または２以上の曲面で構成されてもよい。また、共通面１３５は、１または２以上の平面で構成されてもよい。あるいは、共通面１３５は、平面と曲面の組み合わせで構成されてもよい。
【００９６】
そのような意味では、本願における「共通面（１３５）」とは、必ずしも単一の面として認識すべきものではなく、面の数にかかわらず、中央部１１０の第１の辺１４０から第２の辺１４２の間の部分を表すものと理解されるべきことに留意する必要がある。そのような意味では、「共通面（１３５）」は、「共通領域」とも称され得る。
【００９７】
図７には、そのような複数の「面」で構成される共通面の一例を概略的に示す。なお、図７では、第１のスキージ１００の第１の状態が示されている。また、明確化のため、第１のスキージ１００の脚部１２０は省略されており、中央部１１０の側面のみが示されている。
【００９８】
図７（ａ）に示した例では、中央部１１０の共通面１３５は、２つの平面１３５ａおよび１３５ｂで構成される。
【００９９】
なお、平面１３５ａと設置面Ｓとのなす角度θ１（０＜θ１≦９０゜とする）は、４５゜超となっているが、この角度θ１は、特に限られない。角度θ１は、例えば、１５゜〜９０゜の範囲であり、３０゜〜８５゜の範囲であることが好ましい。また、図７（ａ）を反時計回りに９０゜回転することにより得られる第１のスキージ１００の第２の状態では、中央部１１０の平面１３５ｂと設置面Ｓとのなす角度θ２（０＜θ２≦９０゜とする）は、４５゜超となっているが、この角度θ２は、特に限られない。角度θ２は、例えば、１５゜〜９０゜の範囲であり、３０゜〜８５゜の範囲であることが好ましい。なお、角度θ２は、角度θ１と実質的に等しいことが好ましい。
【０１００】
次に、図７（ｂ）に示した例では、中央部１１０の共通面１３５は、曲面で構成される。曲面の形態は、特に限られない。
【０１０１】
なお、共通面がこのような曲面の場合、共通面１３５と設置面Ｓとのなす角度θ１は、共通面１３５の第１の辺１４０から、共通面１３５に沿って接線Ｌ１を引き、この接線Ｌ１と設置面Ｓとのなす角度として定めることができる。
【０１０２】
同様に、図７（ｂ）を反時計回りに９０゜回転することにより得られる第１のスキージ１００の第２の状態では、共通面１３５と設置面Ｓとのなす角度θ２は、共通面１３５の第２の辺１４２から、共通面１３５に沿って接線Ｌ２を引き、この接線Ｌ２と設置面Ｓとのなす角度として定めることができる。
【０１０３】
次に、図７（ｃ）に示した例では、中央部１１０の共通面１３５は、２つの平面１３５ｃ、１３５ｅと、両者の間の一つの曲面１３５ｄとの組み合わせで構成される。
【０１０４】
この他にも、共通面１３５として各種態様が想定される。
【０１０５】
なお、本発明の一実施形態によるスキージでは、共通面１３５と設置面Ｓとのなす角度θ１およびθ２を所望の数値とすることにより、往路および復路のアタック角度を容易に変更することができることに留意する必要がある。
【０１０６】
以上、第１のスキージ１００を例に、本発明の一実施形態によるスキージの構成および特徴について説明した。
【０１０７】
しかしながら、上記の説明は、単なる一例であって、本発明の範囲内で各種構成のスキージが想定され得ることは、当業者には明らかである。
【０１０８】
すなわち、本発明において重要なことは、
（１）往路印刷および復路印刷のいずれにおいても、ペーストの移動に同一の共通面が使用されること、ならびに
（２）この共通面が、往路印刷および復路印刷のいずれにおいても、ペーストの後方に配置されるように、共通面のペーストに対する相対位置を切り換えることができること
であり、これが満たされる限り、本発明によるスキージは、いかなる構成を有してもよいことに留意する必要がある。
【符号の説明】
【０１０９】
１          従来のスキージ装置
３          印刷ヘッド
５          第１スキージ
７          第２スキージ
１０        被印刷物
１２        スクリーン版
１４        枠
１６        ペースト
１００      第１のスキージ
１１０      中央部
１２０      脚部
１２２      第１の面
１２４      第２の面
１２６      第３の面
１２８      第４の面
１２９      中間部分
１３０      外側面
１３５      共通面
１３５ａ、１３５ｂ  平面
１３５ｃ、１３５ｅ  平面
１３５ｄ    曲面
１４０      第１の辺
１４２      第２の辺
１４５      辺
１４９      内側面
１５０      第１の空間
１５２      第２の空間
１８０      被印刷物
１８２      スクリーン版
１８５      枠
１８７      ペースト
Ｐ          回転軸
Ｓ          設置面
【図１】
2017077711.tif 000003
【図２】
2017077711.tif 000004
【図３】
2017077711.tif 000005
【図４】
2017077711.tif 000006
【図５】
2017077711.tif 000007
【図６】
2017077711.tif 000008
【図７】
2017077711.tif 000009